(57)【要約】      （修正有）【課題】てこの力の作用の倍増を無限に作る。【解決手段】往復運動の連動では、３の台の３−１の支点１に１のてこ棒１を３の台の３の２の支点２に２のてこ棒をてこ棒１とてこ棒にが回転可能に取付ける。Ａのボルトナットで１−１の回転アジャストと２−１アジャストステーを連結する。このてこ棒１とてこ棒２の連結を任意の数連結してこの力の作用を連動する。この連動を１−１の回転アジャストと２−１のアジャストステーを設けることでてこ対比の小と大と小と大（例えば、てこ対比の長さ対比の２対１と２対１と３対１のてこ棒の連結をこの対比の１と２と１と３の連結をする。）の連結を繰返してこの力の作用の連動を無限に連動させる。【選択図】図３
2005061601.tif 000002
【特許請求の範囲】
【請求項１】
てこ棒の支点を設けたてこ対比が大対小と大対小と大対小の大と小を連結する。このてこ対比の大と小の連結を無数連結し、てこの力の作用を無限に連動させることを可能にする（ここで表現しているてこ対比の大対小を分り易く説明する。例えば、てこ対比の２対１ではてこ対比の大対小の大を２として表し、小を１として表している。）。この方法として、てこ棒を自動的に伸縮自在したり、てこ棒を自動的に折曲げたり等して連結する。これは、てこ対比のてこ棒の長さ対比が２対１の場合、２の先端の作動距離に対して、支点を介した１側先端の作動距離は２の作動距離の半分となる。この１側先端の作動距離を２側先端の作動距離に同じとする。この為に、この２本のてこ棒連結部、或は１本、又は２本のてこ棒の任意の位置にステーを設け、てこ対比を変えずに不足分距離を補う。このように、てこ対比の違うてこであっても支点を介したてこ棒両端の作動距離を同じとしたものである。これに因って、てこの力の作用を無限に連動させることを特徴とするてこ棒と円板に因るてこの力の作用。
【請求項２】
回転板から回転板の連動の力の増減を単にてこ棒と支点を回転板に作り作る。これには、軸を回転する円板を設ける。この円板の任意の位置にてこの力の作用を働かせるてこ棒と支点を任意の数設ける。この円板に設けられたてこ棒は、力を加えられ、てこの力の作用を作り、このてこの力の作用を受けた力をこの円板に渡す。この円板を複数作りこの円板と連結する円板のてこ棒を連結する。この方法には、てこ棒と支点を設けた円板を１本の軸に間隔を設け任意の数設け、それぞれの円板に軸受を持たせそれぞれの回転を可能にする。或は、それぞれの円板に軸を持たせ、この軸を回転する円板を任意の数設ける。こうした円板と円板の連動をてこの力の作用を加えて連動する。この円板から円板の連動には円板と連結する円板のてこ棒を連結し連動をする。これに因って、てこの力の作用を、連動する円板に渡し、さらに、連動する円板にてこの力の作用を新たに作り渡す。この円板に設けたてこ棒と支点からてこの力の作用を受けて回転する物を言う。このようなことを特徴とするてこ棒と円板に因るてこの力の作用。
【発明の詳細な説明】
【発明の詳細な説明】
［発明の属する技術分野］
【０００１】この発明は、てこ対比の違ったてこ棒の対比の大と小の連結を無限に連結しててこの力の作用を倍増、或は減少して無限に連動を繰返す各々支点を持ったてこ棒とてこ棒の連結に関した力の作用の連動に関する。
［従来の技術］
【０００２】非特許文献１としては、てこ棒と支点から成るてこの力の作用。
非特許文献２としては、歯車と歯車の連動がある。
［発明が解決しようとする課題］
【０００３】てこ対比の大と小を連結し力の連動を無限に連結し連動する方法が従来には見当たらなかった。また、回転に因るてこの力の作用に於いても、歯車、ベルトによる力の連動はあるが同じ周速度、或はてこの力の作用をロスなく力を連動する物でなかった。そこで、本願発明はてこの力の作用を原始的な簡単な方法で力の増減を連動することを目的とした。
［発明の開示］
［課題を解決するための手段］
【０００４】上記課題を解決するため、本願に於けるてこ棒と円板に因るてこの力の作用に係る第１の発明は、図１、図２、図３、図４、から説明すれば、てこ対比の違ったてこ棒両端の支点を介した作動距離を同じ作動距離とする連動を生出す１−１回転アジャストと２−１アジャストステーを設けたことを特徴とする。
【０００５】第２の発明は、図５、図６から説明すれば、回転板に於いて力の連動を増減する為に歯車、ベルトを使用せずにてこ棒と支点を使用した。これには、回転力をてこ棒に与えてこの力の作用を円板に連動することでてこの力の作用の増減を計った。これには、７の上段てこ棒と８の中間てこ棒と９のてこ棒支点を作ることに因って、円板から円板の力の連動に、てこの力の作用の増減を作り、円板から円板へと力の増減を作りながら連動した。また、図７、図８も同じである。要するに、円板と軸の回転力に新たにてこの力の作用を加えたことを特徴とする。
［発明の効果］
【０００６】第１の発明によれば、図１、図２、図３、図４から１のてこ棒１と２のてこ棒２の１−１回転アジャストと２−１アジャストステーに因っててこ対比の２対１と２対１のてこ棒の連結を対比１と２で連結しているのも拘らず、この連結部から連動される作動距離は１−１回転アジャストと２−１のアジャストステーの移動距離を決めることで伝達するてこ棒の作動距離を決定することを可能にする。この１−１回転アジャストと２−１アジャストステーを連結するてこ棒に設けることで１番目のてこ棒の作動を２番目。３番目のてこ棒にてこの力の作用の力の増減を自由に無限に連動することを可能にした。
【０００７】第２の発明によれば、てこ棒に因って、回転板から回転板の連動を計るには、図５、図６の５円板と５円板を７上段てこ棒８中間てこ棒に９てこ棒支点で連結した。これに因って、４軸を中心として回転する円板の回転力から新たなてこの力を加えた回転力として円板から円板へと力の連動を計っている。この連動は、てこの力の作用をてこ棒から回転力として連動している。このてこ棒と支点の連動に因って得られる回転力は異常な大きな力となって変換される回転力である。
【０００８】また、第２の発明による図７、図８によりと、やはりてこの力の作用が働き図符号１０動力円板の１１歯１から２０てこ円板の２１攴点てこ１へ、１２歯から２２支点てこ２へ、１３歯から２４支点てこ４と１０の動力円板から２０てこ円板へと動力を連動し各々支点てこから２０てこ円板にてこの力の作用を働かした力を連動している。
［発明の実施の形態］実施例１は、図１は側面図、図２は正面図、図３は平面図、図４は図２の正面図の１てこ棒１に力を加えた時のてこ棒１の作動から１−１回転アジャスト、２−１アジャストステーと２てこ棒２の作動状態を現わす。
【０００９】この図に於いて、図面符号の１てこ棒１と２てこ棒２を支える３台に１てこ棒１を３−１支点１に取付け、２てこ棒２を３−２支点２に取付ける。次に、１てこ棒１と１−１回転アジャストをＡボルトナットで回転するように連結する。さらに１−１回転アジャストの他方の孔と２−１アジャストステーの孔をＡボルトナットで回転するように連結する。
【００１０】次に、本実施例の作用を説明する。図１、図２、図３は１てこ棒１と図２てこ棒２の力が均等の状態を現わす。
【００１１】図４は、１てこ棒１、又は、てこ棒２に力を加えた状態を現わす。
【００１２】図４の１−２回転ストッパーは１−１回転アジャストの回転を止める物である。
【００１３】このように、取付けることで１てこ棒、或は、てこ棒２を作動することで１−１回転アジャストと２−１アジャストステーが図４のように作動し２−１回転ストッパーで作動を止める。
【００１４】作動距離の設定は、１−１回転アジャスト、２−１アジャストステーの長さで決定する。または、１−２回転ストッパーの角度を変えて決定する。
【００１５】てこ棒の作動距離に応じてこの１−１回転アジャスト、２−１アジャストスデーの長さ、１−２回転ストッパーの角度を任意の長さ任意の角度に設定する。
【００１６】本発明は、このように支点を設けたてこ棒とてこ棒を幾とおりにも、同じてこ対比のてこ棒の連結にも無限に連結して連動を可能にする。
【００１７】なお、本願発明は上記実施例に限定されず、支点を持たしたてこ棒とてこ棒の連結部に新たな作動距離を作る物であるから、例えば、２−１アジャストステーを設けなくても１−１回転アジャストのステーを伸縮自在にする物でもよく方法は限定されない。
【００１８】次に、図５、図６に基づいて第２実施例を説明する。
【００１９】７上段てこ棒の任意の位置に９てこ棒支点を差込む孔を設ける。
【００２０】８中間てこ棒の任意の位置にも９てこ棒支点を差込む孔を設ける。
【００２１】４軸を直立に床に固定する。
【００２２】５円板を４軸に差込み５円板が回転するように６座金で固定する。
【００２３】８中間てこ棒を４軸に差込み５円板に９てこ棒支点とてこ棒支点の先の８中間てこ棒先端を円板に固定する。
【００２４】次に最初に差込んだ円板の８中間てこ棒に当たるまで２枚目の５円板を差込み６座金で５円板が回転するように固定する。
【００２５】８中間てこ棒先端に当てた５円板と８中間てこ棒を固定する。
【００２６】さらに、２枚目の円板上面に１枚目の５円板に同じ８中間てこ棒と９てこ棒支点を５円板の任意の位置に固定する。この５円板と８中間てこ棒、９てこ棒支点、６座金の組合わせを４軸に任意の数設ける。
【００２７】最後に、５円板を８中間てこ棒と６座金を５円板が８中間てこ棒に当たるまで差込み５円板と８中間てこ棒の当てた先を固定する。
【００２８】この最後の５円板上面に７上段てこ棒を４軸に差込み７上段てこ棒の孔に９てこ棒支点を差込み９てこ棒支点と９てこ棒支点の先の７上段てこ棒先端を５円板に固定する。
【００２９】７上段てこ棒先端に回転力を加えててこの力の作用を生出す。
【００３０】図７、図８の第２実施例を説明する。
【００３１】１０動力円板に図符号の１１歯１、１２歯２、１３歯３、１４歯４、１５歯５、１６歯６を設ける。２０のてこ円板に２１支点てこ  、２２支点てこ２、２３支点てこ３、２４支点てこ４、２５支点てこ５、２６支点てこ６を設ける。
【００３２】１０動力円板の１１歯１と２０てこ円板の２１支点てこ１が噛合う様に設置する。
【００３３】１０動力円板を回転させ１０動力円板の各々支点てこと２０てこ円板の各々歯を噛合わせ２０てこ円板を回転させる。
【００３４】２０てこ円板の回転は各々支点てこのてこの力の作用を受けた回転力を持って回転する。
【００３５】なお、本願発明は上記実施例に限定されず、いろいろな組合わせが可能であり、例えば、円板の直径、てこ棒の長さは大小の組合わせから、歯車と歯車の連動の如くに各々の歯車の歯に支点を設けたこの歯をてこ棒としたてこの力の作用の連動をすることでもよく、てこの力の作用の連動を支点を設けたてこ棒の作動から力の連動を構成したもの種々の構成でもよい。
【図面の簡単な説明】
【００３６】
【図１】第１実施例に係る側面図
【図２】第１実施例に係る正面図
【図３】第１実施例に係る平面図
【図４】第１実施例に係る図符号の１−１、２−１の作動図
【図５】第２実施例に係る正面図
【図６】第２実施例に係る平面図
【図７】第２実施例に係る正面図
【図８】第２実施例に係る平面図
【符号の説明】
【００３７】１：てこ棒１、１−１：回転アジャスト、１−２：回転ストッパー、２：てこ棒２、２−１：アジャストステー、３：台、３−１：支点１、３−２：支点２、４：軸、５：円板、６：座金、７：上段てこ棒、８：中間てこ棒、９：てこ棒支点Ａ：ボルトナット、１０：動力円板、１１：歯１、１２：歯２、１３：歯３、１４：歯４、１５：歯５、１６：歯６、２０：てこ円板、２１：支点てこ１、２２：支点てこ２、２３：支点てこ３、２４：支点てこ４、２５：支点てこ５、２６：支点てこ６
【図１】
2005061601.tif 000003
【図２】
2005061601.tif 000004
【図３】
2005061601.tif 000005
【図４】
2005061601.tif 000006
【図５】
2005061601.tif 000007
【図６】
2005061601.tif 000008
【図７】
2005061601.tif 000009
【図８】
2005061601.tif 000010